(57)【要約】  【課題】位置情報を発信した顧客携帯通信端末に対して、該位置情報に関連する店舗情報及び該店舗から発信する情報を安価且つ効率良く提供する。  【解決手段】センターサーバ２がインターネット３を介して、店舗側が操作する店舗用通信端末４と、顧客が操作する顧客携帯通信端末５とに接続され、該顧客携帯通信端末５に店舗情報を提供する店舗情報提供システム１に於て、前記センターサーバ２は少なくとも店舗の住所データ１５を含む店舗データ１２を記憶する記憶手段８と、該店舗データ１２を検索する検索手段９と、送受信手段７とを備え、前記顧客携帯通信端末５から位置情報３４が送信された時、該センターサーバ２は該位置情報３４に基づき、前記店舗データ１２を検索し、該位置情報３４に関連する店舗を抽出し、抽出された店舗の店舗用通信端末４に前記顧客携帯通信端末５に関する情報を提供し、該店舗用通信端末４から該顧客携帯通信端末５に店舗情報３７を提供するように構成した店舗情報提供システムを提供する。【選択図】図１ 
2005242459.tif 000002
【特許請求の範囲】
【請求項１】
センターサーバがインターネットを介して、店舗側が操作する店舗用通信端末と、顧客が操作する顧客携帯通信端末とに接続され、該顧客携帯通信端末に店舗情報を提供する店舗情報提供システムに於て、前記センターサーバは少なくとも店舗の住所データを含む店舗データを記憶する記憶手段と、該店舗データを検索する検索手段と、送受信手段とを備え、前記顧客携帯通信端末から位置情報が送信された時、該センターサーバは該位置情報に基づき、前記店舗データを検索し、該位置情報に関連する店舗を抽出し、抽出された店舗の店舗用通信端末に前記顧客携帯通信端末に関する情報を提供し、該店舗用通信端末から該顧客携帯通信端末に店舗情報を提供するように構成したことを特徴とする店舗情報提供システム。
【請求項２】
上記送受信手段はインターネットメールを利用する送受信手段であることを特徴とする請求項１記載の店舗情報提供システム。
【請求項３】
上記送受信手段はＷｅｂページを利用する送受信手段であることを特徴とする請求項１記載の店舗情報提供システム。
【発明の詳細な説明】
【技術分野】
【０００１】
本発明は、店舗情報提供システムに関するものであり、特に、センターサーバがインターネットを介して、店舗側が操作する店舗用通信端末と、顧客が操作する顧客携帯通信端末とに接続される店舗情報提供システムに於て、該顧客携帯通信端末に店舗情報を提供する店舗情報提供システムに関するものである。
【背景技術】
【０００２】
従来の此種情報提供システムは種々知られているが、例えば特許文献１に記載の情報配信システムは、広域で移動する利用者に対して、移動先地域に対応する地域情報等を配信するシステムであり、具体的には、公衆携帯無線通信装置を有し、情報を公衆携帯無線通信装置により送受信する移動体装置と、公衆携帯無線通信装置との通信機能をもつ電話回線網に接続されたホスト装置から成り、該ホスト装置は、地域情報を格納したデータベースと、移動体装置から受信した位置情報に基づいて該当する地域情報をデータベースから検索し、移動体装置へ発信する処理を行う地域情報検索・発信装置とを備え、前記移動体装置は、現在位置を検知する位置情報検知装置と、位置情報検知装置により検知した現在位置の情報をホスト装置へ送信し、ホスト装置から地域情報を受信する通信制御装置と、地域情報を表示する表示装置とを備えている。
【特許文献１】特開平１１−３３８８７０号公報
【発明の開示】
【発明が解決しようとする課題】
【０００３】
上記特許文献１の情報配信システムは前記移動体装置が位置情報検知装置を備えるため高価となる問題があり、又、該移動体装置は前記ホスト装置から地域情報を受信するが、該地域情報は不要な情報を含む可能性があり、又、受信する情報が大量の情報になり、利用者が情報を充分に閲覧できない虞がある。
【０００４】
又、前記情報配信システムによって店舗情報を配信する場合に、店舗等から利用者へ宛てたメッセージ等の情報が送信されないため店舗のＰＲが充分に利用者に伝わりにくいという問題がある。
【０００５】
そこで、位置情報を発信した顧客携帯通信端末に対して、該位置情報に関連する店舗情報及び該店舗から発信する情報を安価且つ効率良く提供するために解決すべき技術的課題が生じてくるのであり、本発明はこの課題を解決することを目的とする。
【課題を解決するための手段】
【０００６】
本発明は上記目的を達成するために提案されたものであり、センターサーバがインターネットを介して、店舗側が操作する店舗用通信端末と、顧客が操作する顧客携帯通信端末とに接続され、該顧客携帯通信端末に店舗情報を提供する店舗情報提供システムに於て、前記センターサーバは少なくとも店舗の住所データを含む店舗データを記憶する記憶手段と、該店舗データを検索する検索手段と、送受信手段とを備え、前記顧客携帯通信端末から位置情報が送信された時、該センターサーバは該位置情報に基づき、前記店舗データを検索し、該位置情報に関連する店舗を抽出し、抽出された店舗の店舗用通信端末に前記顧客携帯通信端末に関する情報を提供し、該店舗用通信端末から該顧客携帯通信端末に店舗情報を提供するように構成した店舗情報提供システム、
及び、上記送受信手段はインターネットメールを利用する送受信手段である店舗情報提供システム、
並びに、上記送受信手段はＷｅｂページを利用する送受信手段である店舗情報提供システムを提供する。
【発明の効果】
【０００７】
本発明の請求項１記載の店舗情報提供システムによれば、店舗情報提供システムに於て、センターサーバは少なくとも店舗の住所データを含む店舗データを記憶する記憶手段と、該店舗データを検索する検索手段と、送受信手段とを備え、顧客携帯通信端末から位置情報が送信された時、該センターサーバは該位置情報に基づき、前記店舗データを検索し、該位置情報に関連する店舗を抽出し、抽出された店舗の店舗用通信端末に前記顧客携帯通信端末に関する情報を提供し、該店舗用通信端末から該顧客携帯通信端末に店舗情報を提供するように構成しているので、位置情報を発信した顧客携帯通信端末に対して、該位置情報に関連する店舗情報及び該店舗から発信する情報を安価且つ効率良く提供することができる。
【０００８】
又、本発明の請求項２記載の店舗情報提供システムによれば、請求項１記載の店舗情報提供システムに於て、上記送受信手段はインターネットメールを利用する送受信手段であるので、請求項１記載の発明の効果に加え、更に安価に且つ容易に情報を提供できる。
【０００９】
更に、本発明の請求項３記載の店舗情報提供システムによれば、請求項１記載の店舗情報提供システムに於て、上記送受信手段はＷｅｂページを利用する送受信手段であるので、請求項１記載の発明の効果に加え、顧客は必要な時に必要な情報のみを取得することができ、閲覧が容易になると共に、大量の情報を受信する虞がなくなる等、正に著大なる効果を奏する発明である。
【発明を実施するための最良の形態】
【００１０】
以下、本発明の一実施の形態を図１乃至図６に従って詳述する。図１に於て、１は店舗情報提供システムであり、該店舗情報提供システム１は、センターサーバ２がインターネット３を介して、店舗側が操作するパソコン又は携帯通信端末等の店舗用通信端末４，４…と、顧客が操作する顧客携帯通信端末５，５…とに接続され、該顧客携帯通信端末５，５…に店舗情報を提供するように構成されている。尚、前記店舗用通信端末４の携帯通信端末及び前記顧客携帯通信端末５は基地局６，６…を介して前記インターネット３に接続される。
【００１１】
そして、図２に示す如く、前記センターサーバ２は送受信手段７と、記憶手段８と、検索手段９とを備え、該送受信手段７は、メール送受信手段１０と、Ｗｅｂページ送受信手段１１とを備える。
【００１２】
更に、前記記憶手段８は店舗データ１２と、Ｗｅｂページ１３とを記憶し、該店舗データ１２は、店舗名データ１４、住所データ１５、メールアドレスデータ１６、案内・ＰＲデータ１７等から成り、前記Ｗｅｂページ１３はサーバー用Ｗｅｂページ１８と、店舗用Ｗｅｂページ１９と、顧客用Ｗｅｂページ２０とから成る。
【００１３】
そして、前記店舗用Ｗｅｂページ１９は店舗登録用Ｗｅｂページ２１と、顧客情報表示用Ｗｅｂページ２２とから成り、該店舗登録用Ｗｅｂページ２１は店舗名入力欄２３、住所入力欄２４、メールアドレス入力欄２５及び案内・ＰＲ情報入力欄２６等から成り、前記顧客Ｗｅｂページ２０は少なくとも位置入力欄２７を備えた入力用Ｗｅｂページ２８と、店舗情報表示用Ｗｅｂページ２９とから成る。
【００１４】
一方、図３に示す如く、前記店舗用通信端末４は、送受信手段３０として、店舗名、住所、メールアドレス、案内・ＰＲデータ及び顧客宛のメッセージ等の店舗情報３７を送るためのメール送受信手段３１及びＷｅｂページ送受信手段３２を備え、図４に示す如く、前記顧客携帯通信端末５は、送受信手段３３として、少なくとも位置情報３４を送るためのメール送受信手段３５及びＷｅｂページ送受信手段３６を備えている。
【００１５】
而して、図５は前記Ｗｅｂページ１３を利用した店舗情報提供システム１の処理フロー３８を示し、同図及び図２乃至図４に示す如く、前記店舗用通信端末４のＷｅｂページ送受信手段３２によって前記センターサーバ２の前記サーバー用Ｗｅｂページ１８を表示した後、又は、直接、前記店舗登録用Ｗｅｂページ２１を表示し、該店舗登録用Ｗｅｂページ２１内の店舗名入力欄２３、住所入力欄２４、メールアドレス入力欄２５及び案内・ＰＲ情報入力欄２６に所定事項を入力して前記センターサーバ２に送信すると（ステップＳ１）、該センターサーバ２は該情報を受信し（ステップＳ２）、該情報を前記店舗データ１２として記憶する（ステップＳ３）。該店舗データ１２は、店舗名データ１４、住所データ１５、メールアドレスデータ１６及び店舗案内・ＰＲデータ１７として記憶される。
【００１６】
そして、他に登録がある場合は（ステップＳ４）、ステップ２に戻って同様の処理を繰り返し、他に登録がない場合は次のステップに進む。次に、前記顧客携帯通信端末５のＷｅｂページ送受信手段３６によって前記センターサーバ２のサーバー用Ｗｅｂページ１８を表示した後、又は、直接、前記顧客用Ｗｅｂページ２０を表示し、該顧客用Ｗｅｂページ２０内の位置入力欄２７に例えば現在位置又は目的位置等の位置情報３４を入力して前記センターサーバ２に送信すると（ステップＳ５）、該センターサーバ２は該位置情報３を受信し（ステップＳ６）、該位置情報３に基づき前記店舗データ１２の住所データ１５を検索し（ステップＳ７）、検索結果を前記顧客情報表示用Ｗｅｂページ２２に表示する（ステップＳ８）。
【００１７】
更に、前記センターサーバ２は他に位置情報送信がある場合（ステップＳ９）、ステップＳ６に戻って同様の処理を繰り返し、他に位置情報送信がなければ、次のステップに進む。
【００１８】
そして、店舗側が該顧客情報表示用Ｗｅｂページ２２を前記店舗用通信端末４に表示して閲覧し（ステップＳ１０）、必要な顧客携帯通信端末５に向けて顧客宛のメッセージ等を含む店舗情報３７を送信すると（ステップＳ１１）、前記センターサーバ２は該店舗情報３７を受信し（ステップＳ１２）、前記店舗情報表示用Ｗｅｂページ２９に前記店舗用通信端末４に関する前記店舗データ１２と共に、該店舗情報３７を表示する（ステップＳ１３）。
【００１９】
これによって、顧客は前記顧客携帯通信端末５に該店舗情報表示用Ｗｅｂページ２９を表示して、前記店舗データ１２及び前記店舗情報３７を閲覧することができる（ステップＳ１４）。
【００２０】
そして、前記センターサーバ２はステップＳ２に戻り同様の処理を繰り返す。
【００２１】
斯くして、前記処理フロー３８に於ては、従来例の位置情報検知装置等は不要であり、顧客携帯通信端末５の発信する位置情報３４に対して、該位置情報３４に関連する店舗情報３７を安価且つ効率良く提供することができると共に、情報提供が前記店舗情報表示用Ｗｅｂページ２９によって行われるので、顧客は必要な時に必要な情報のみを取得することができ、閲覧が容易となると共に、大量の情報を受信する虞がなくなる。
【００２２】
又、顧客は店舗からの顧客宛のメッセージを受けることができ、該メッセージは店舗側にとっても有効なＰＲとなる。
【００２３】
尚、前記処理フロー３８に於ては、前記センターサーバ２、店舗用通信端末４及び顧客携帯通信端末５に於けるメール送受信手段１０，３０，３５は用いないため備えなくても良い。
【００２４】
図６は、インターネットメールを利用した店舗情報提供システム１の処理フロー３９を示し、同図及び図２乃至図４に示す如く、前記店舗用通信端末４のメール送受信手段３０によって登録のための店舗名、住所、メールアドレス及び案内・ＰＲ情報等を前記センターサーバ２に送信すると（ステップＳ２１）、該センターサーバ２は該情報を受信し（ステップＳ２２）、該情報を該店舗データ１２として記憶する（ステップＳ２３）。該店舗データ１２は、店舗名データ１４、住所データ１５、メールアドレスデータ１６及び店舗案内・ＰＲデータ１７として記憶される。
【００２５】
更に、他に登録がある場合は（ステップＳ２４）、ステップ２２に戻って同様の処理を繰り返し、他に登録がない場合は次のステップに進む。そして、前記顧客携帯通信端末５のメール送受信手段３５に顧客が例えば現在位置又は目的位置等の位置情報３４を入力して前記センターサーバ２にメール送信すると（ステップＳ２５）、該センターサーバ２は該位置情報３４を受信し（ステップＳ２６）、該位置情報３４に基づき前記店舗データ１２の住所データ１５を検索し（ステップＳ２７）、該位置情報３４に関連する店舗データ１２を検索結果として出力し、該店舗データ１２の前記メールアドレスデータ１６のアドレスを前記メール送受信手段１０に入力し、顧客携帯通信端末５の位置情報３４及びメールアドレスを前記店舗用通信端末４に向けて送信する（ステップＳ２８）。
【００２６】
そして、該店舗用通信端末４が前記顧客携帯通信端末５の位置情報３４及びメールアドレスを受信し（ステップＳ２９）、前記顧客携帯通信端末５に直接送信する場合は（ステップＳ３０）、前記メール送受信手段３１によって、店舗名、住所、メールアドレス、案内・ＰＲデータ及び顧客宛のメッセージ等の店舗情報３７をメール送信する（ステップＳ３１）。又、前記顧客携帯通信端末５に直接送信しない場合は、前記メール送受信手段３１によって、前記センターサーバ２に顧客宛のメッセージ等を含む店舗情報３７をメール送信すると（ステップＳ３２）、該センターサーバ２は適宜該店舗用通信端末４の前記店舗データ１２を付加して前記顧客携帯通信端末５に転送する（ステップＳ３３）。そして、前記顧客携帯通信端末５は前記メール送受信手段３５によって前記店舗用通信端末４からの店舗名、住所、メールアドレス、案内・ＰＲデータ等の店舗データ１２及びメッセージ等の店舗情報３７を受信することができる（ステップＳ３４）。尚、前記ステップ３１とＳ３２はいずれか一方が備えられていれば良く、その場合、ステップＳ３０は不要である。又、ステップ３２を不要とする場合は、ステップＳ３３も不要になると共に、前記案内・ＰＲデータ１７の登録及び記憶も不要となる。
【００２７】
又、前記センターサーバ２は他に位置情報送信がある場合は（ステップＳ３５）、ステップＳ２６に戻って同様の処理を繰り返し、他に位置情報送信がない場合はステップＳ２２に戻って同様の処理を繰り返す。
【００２８】
斯くして、前記処理フロー３９に於ては、位置情報３４を発信した顧客携帯通信端末５に対して、インターネットメールによって、該位置情報３４に関連する店舗情報３７を安価且つ効率良く提供することができる。
【００２９】
尚、前記処理フロー３９に於ては、前記センターサーバ２、店舗用通信端末４及び顧客携帯通信端末５に於けるＷｅｂページ送受信手段１１，３２，３６、及び、該センターサーバ２のＷｅｂページ１３は用いないため備えなくても良い。
【００３０】
又、前記処理フロー３８はＷｅｂページ１３を用いて情報を交換し、前記処理フロー３９はインターネットメールを用いて情報を交換したが、該Ｗｅｂページとインターネットメールを混用して用いることも可能である。
【００３１】
例えば、前記処理フロー３８に於て、ステップＳ１、ステップＳ５、ステップＳ１４を選択的に前記処理フロー３９と同様なインターネットメールを用いても良く、又、例えば、該処理フロー３９に於て、ステップＳ２１、ステップＳ２９を該処理フロー３８と同様なＷｅｂページ１３を用いても良く、利用に応じて自由に選択できる。
【００３２】
そして、その選択によって、前記処理フロー３８及び処理フロー３９に於て、前記センターサーバ２、前記店舗用通信端末４、前記顧客携帯通信端末５が備えた機能のうち利用しない機能は削除することができる。
【００３３】
尚、本発明は、本発明の精神を逸脱しない限り種々の改変を為すことができ、そして、本発明が該改変されたものに及ぶことは当然である。
【図面の簡単な説明】
【００３４】
【図１】本発明の一実施の形態を示し、店舗情報提供システムの概念図。
【図２】本発明の一実施の形態を示し、センターサーバの概念図。
【図３】本発明の一実施の形態を示し、店舗用通信端末の概念図。
【図４】本発明の一実施の形態を示し、顧客携帯通信端末の概念図。
【図５】本発明の一実施の形態を示し、Ｗｅｂページを用いた店舗情報提供システムの処理フロー。
【図６】本発明の一実施の形態を示し、インターネットメールを用いた店舗情報提供システムの処理フロー。
【符号の説明】
【００３５】
１    店舗情報提供システム
２    センターサーバ
３    インターネット
４    店舗用通信端末
５    顧客携帯通信端末
７    送受信手段
８    記憶手段
９    検索手段
１２    店舗データ
１５    住所データ
３４    位置情報
３７    店舗情報
【図１】
2005242459.tif 000003
【図２】
2005242459.tif 000004
【図３】
2005242459.tif 000005
【図４】
2005242459.tif 000006
【図５】
2005242459.tif 000007
【図６】
2005242459.tif 000008